(57)【要約】【課題】屋外用送風機は、軸流羽根車やモーターのメンテナンスのための広い空間が製品の周囲に必要である。また、屋上の中央付近に屋外用送風機の位置が規制されてしまう。【解決手段】箱状の機体３の内部に遠心送風機９を備え、遠心送風機９のケーシング吸込口１２に対向する機体３の一面の点検用開口部１６を機体３の天面に備え、点検用開口部１６よりも大きい天面カバー１７を天面に配置し、ダクトを介して換気する構成としたことにより、機体３の周囲のメンテナンス空間が少ない場合でも天面から内蔵の遠心送風機９を確認でき、また、ダクト換気により本体の設置場所に規制がないようにできる屋外用消音ボックス付送風機を提供できる。【選択図】図１
2011149688.tif 000002
【特許請求の範囲】
【請求項１】
機体吸込口と機体吹出口を対向して設けた箱状の機体の内部に遠心送風機を備え、前記遠心送風機は前記機体吹出口に対向した吐出口と渦巻状のスクロールとケーシング吸込口を設けたケーシング側板を側面に備え、羽根車を前記ケーシング吸込口近傍に固定したモーターにより駆動し、前記ケーシング吸込口に対向する前記機体の一面の点検用開口部を前記機体の天面に備え、前記点検用開口部よりも大きい天面カバーを天面に配置し、ダクトを介して送風する構成としたことを特徴とする屋外用消音ボックス付送風機。
【請求項２】
天面カバーの天面を機体の天面に対し傾斜して配置する構成としたことを特徴とする請求項１記載の屋外用消音ボックス付送風機。
【請求項３】
機体の幅寸法よりも天面カバーの幅寸法を大きくして、前記天面カバーの底面の通風用開口を前記機体の両側面に設けた構成としたことを特徴とする請求項１または２記載の屋外用消音ボックス付送風機。
【請求項４】
点検用開口部を閉塞する点検板を天面カバーの下面に備える構成としたことを特徴とする請求項１から３のいずれかに記載の屋外用消音ボックス付送風機。
【請求項５】
点検板の固定用ねじの取り外し方向を天面方向に向ける構成としたことを特徴とする請求項４記載の屋外用消音ボックス付送風機。
【請求項６】
電源接続用端子台を天面カバーの下面に備える構成としたことを特徴とする請求項１から５のいずれかに記載の屋外用消音ボックス付送風機。
【請求項７】
電源接続用端子台の電源線固定部は電源の異極が互いに垂直に並ぶ配置とする構成としたことを特徴とする請求項６記載の屋外用消音ボックス付送風機。
【請求項８】
電源接続用端子台を保護する端子台カバーを天面カバーの下面に備える構成としたことを特徴とする請求項６または７記載の屋外用消音ボックス付送風機。
【請求項９】
点検用開口部と対面となる機体の底面に設置施工用架台を備える構成としたことを特徴とする請求項１から８のいずれかに記載の屋外用消音ボックス付送風機。
【請求項１０】
点検用開口部と対面となる機体の底面にドレン水排水口を設けたドレンパンを備える構成としたことを特徴とする請求項１から９のいずれかに記載の屋外用消音ボックス付送風機。
【発明の詳細な説明】
【技術分野】
【０００１】
本発明は、換気送風機器など消音ボックス内部に送風機を内蔵して使用される屋外用消音ボックス付送風機に関する。
【背景技術】
【０００２】
従来、屋外用送風機としては、消音ボックスのない軸流送風機に対し、天蓋やメッシュフィルターを設置したものが知られている（例えば、特許文献１参照）。
【０００３】
以下、その屋外用送風機について図７を参照しながら説明する。
【０００４】
図７に示すように、ボディ１０１に軸流羽根車１０２とモーター１０３を内蔵し、雨水の浸入を防ぐようボディ１０１周囲全体を覆う天蓋１０４とメッシュフィルター１０５を備え、屋上１０６の中央部にボディ１０１の寸法に合わせた開口１０７を設け、ボディ１０１を開口１０７に固定して屋外用送風機１０８は設置される。
【０００５】
そして、モーター１０３を運転すると、室内１１０の空気はボディ１０１を通って室外１１１へ排気され、室内１１０の油煙１１２はメッシュフィルター１０５にて油１１３としてドレン配管１１４を通って集められる。また、メンテナンスの際は、屋外通路１１５を通り屋外用送風機１０８にアプローチして行われる。
【先行技術文献】
【特許文献】
【０００６】
【特許文献１】特開２００１−１１６３０８号公報
【発明の概要】
【発明が解決しようとする課題】
【０００７】
このような従来の屋外用送風機では、室内の汚染空気を効率よく集めて換気できるよう、屋上の中央付近に設置を行う必要があるため、軸流羽根車やモーターのメンテナンスの際の屋外通路からのアプローチが遠く、広い空間が製品の周囲に必要であった。また、メンテナンスの際に内蔵の軸流羽根車やモーターを確認するためには、雨水の浸入を防ぐため製品全体を覆っている大きい天蓋やメッシュフィルターを取り外す必要があり、メンテナンス作業にも広いスペースが必要であった。また、屋上の中央付近に屋外用送風機の位置が規制されてしまうと、屋上の緑化などのスペースの有効活用が困難であるという課題もある。
【０００８】
そこで本発明は、上記従来の課題を解決するものであり、機体の周囲のメンテナンス空間が少ない場合でも天面から内蔵の遠心送風機を確認でき、またダクト換気により本体の設置場所に規制がない屋外用消音ボックス付送風機を提供することを目的とする。
【課題を解決するための手段】
【０００９】
本発明の屋外用消音ボックス付送風機は、上記目的を達成するために、機体吸込口と機体吹出口を対向して設けた箱状の機体の内部に遠心送風機を備え、前記遠心送風機は前記機体吹出口に対向した吐出口と渦巻状のスクロールとケーシング吸込口を設けたケーシング側板を側面に備え、羽根車を前記ケーシング吸込口近傍に固定したモーターにより駆動し、前記ケーシング吸込口に対向する前記機体の一面の点検用開口部を前記機体の天面に備え、前記点検用開口部よりも大きい天面カバーを天面に配置し、ダクトを介して換気する構成としたものであり、これにより、所期の目的を達成するものである。
【発明の効果】
【００１０】
本発明によれば、機体吸込口と機体吹出口を対向して設けた箱状の機体の内部に遠心送風機を備え、前記遠心送風機は前記機体吹出口に対向した吐出口と渦巻状のスクロールとケーシング吸込口を設けたケーシング側板を側面に備え、羽根車を前記ケーシング吸込口近傍に固定したモーターにより駆動し、前記ケーシング吸込口に対向する前記機体の一面の点検用開口部を前記機体の天面に備え、前記点検用開口部よりも大きい天面カバーを天面に配置し、ダクトを介して換気する構成としたことにより、点検用開口部を機体の天面に備えたことにより、機体の周囲のメンテナンス空間が少ない場合でも天面から内蔵の遠心送風機を確認でき、また、天面カバーを点検用開口部よりも大きくしたことにより、屋外での使用時に点検用開口部からの機体の内部への雨水の浸入を防ぐことができるという作用を有するので、少ない空間でメンテナンスができ、また、機体の内部への雨水の浸入を防止して屋外で使用することができ、また、ダクト換気により本体の設置場所に規制がないようにできるという効果のある屋外用消音ボックス付送風機を提供することができる。
【図面の簡単な説明】
【００１１】
【図１】本発明の実施の形態１の屋外用消音ボックス付送風機の斜視図
【図２】同屋外用消音ボックス付送風機の正面図
【図３】同屋外用消音ボックス付送風機の設置状態を示す側面図
【図４】同屋外用消音ボックス付送風機の天面カバー部分の温度グラフ
【図５】同屋外用消音ボックス付送風機の電源接続部を示す斜視図
【図６】同屋外用消音ボックス付送風機の据え付け状態を示す斜視図
【図７】従来の屋外用送風機の側面図
【発明を実施するための形態】
【００１２】
本発明の請求項１記載の屋外用消音ボックス付送風機は、機体吸込口と機体吹出口を対向して設けた箱状の機体の内部に遠心送風機を備え、前記遠心送風機は前記機体吹出口に対向した吐出口と渦巻状のスクロールとケーシング吸込口を設けたケーシング側板を側面に備え、羽根車を前記ケーシング吸込口近傍に固定したモーターにより駆動し、前記ケーシング吸込口に対向する前記機体の一面の点検用開口部を前記機体の天面に備え、前記点検用開口部よりも大きい天面カバーを天面に配置し、ダクトを介して換気する構成としたものであり、点検用開口部を機体の天面に備えたことにより、機体の周囲のメンテナンス空間が少ない場合でも天面から内蔵の遠心送風機を確認できる。また天面カバーを点検用開口部よりも大きくしたことにより、屋外での使用時に点検用開口部からの機体の内部への雨水の浸入を防ぐことができるという作用を有するので、少ない空間でメンテナンスができ、機体の内部への雨水の浸入を防止して屋外で使用することができ、また、ダクト換気により本体の設置場所に規制がないようにできるという効果を奏する。
【００１３】
また、天面カバーの天面を機体の天面に対し傾斜して配置する構成としたものであり、天面カバーの天面を機体の天面に対し傾斜したことにより、天面カバーの傾斜に沿って雨水が流れて排水性が良くなり、天面カバーでの水の溜まりによる錆の発生を抑制することができるという作用を有するので、天面カバーの耐食性を向上することができるという効果を奏する。
【００１４】
また、機体の幅寸法よりも天面カバーの幅寸法を大きくして、前記天面カバーの底面の通風用開口を前記機体の両側面に設けた構成としたものであり、機体側面に衝突する外風が機体に沿って通風用開口に導かれて天面カバー内に通風するという作用を有するので、日射により天面カバー内部に熱がこもることを防止できるという効果を奏する。
【００１５】
また、点検用開口部を閉塞する点検板を天面カバーの下面に備える構成としたものであり、点検板を天面カバーの下面に備えたことにより、強い風雨時にも機体と天面カバーの隙間からの雨水が機体の内部に浸入することを防止できるという作用を有するので、機体の内部への雨水の浸入をさらに防止できるという効果を奏する。
【００１６】
また、点検板の固定用ねじの取り外し方向を天面方向に向ける構成としたものであり、点検板の固定用ねじの取り外し方向を天面方向に向けたことにより、機体の周囲のメンテナンス空間が少ない場合でも天面から点検板を着脱できるという作用を有するので、少ない空間でメンテナンスができるという効果を奏する。
【００１７】
また、電源接続用端子台を天面カバーの下面に備える構成としたものであり、電源接続用端子台を天面カバーの下面に備えたことにより、電源線とモーターからのリード線を直接接続した後に防水テーピング作業を施す場合と比較すると、電源接続を容易にしながら雨水の電源接続部への浸入を防止できるという作用を有するので、電源接続性を容易にでき、また電源接続部への雨水の浸入を防止できるという効果を奏する。
【００１８】
また、電源接続用端子台の電源線固定部は電源の異極が互いに垂直に並ぶ配置とする構成としたものであり、天面カバーの誤設置時での万一の雨水の電源線固定部への付着時にも水は下方向に向かって流れ落ちるため、電源接続用端子台に水が溜まりにくく、電源接続用端子台での電源の短絡状態を防止できるという効果を奏する。
【００１９】
また、電源接続用端子台を保護する端子台カバーを天面カバーの下面に備える構成としたものであり、長期間の使用時にも機体と天面カバーの隙間からの埃が電源接続用端子台に付着することを防止できるという作用を有するので、電源接続用端子台への埃の付着を防止できるという効果を奏する。
【００２０】
また、点検用開口部と対面となる機体の底面に設置施工用架台を備える構成としたものであり、設置施工用架台や架台設置用ボルトが機体の天面のメンテナンス空間から離れた邪魔にならない場所に位置するため、メンテナンス空間が狭い場合でも作業性を良くできるという作用を有するので、少ない空間でもメンテナンスの作業性が良くできるという効果を奏する。
【００２１】
また、点検用開口部と対面となる機体の底面にドレン水排水口を設けたドレンパンを備える構成としたものであり、ドレン水排水口に接続したドレン配管が機体の天面のメンテナンス空間から離れた邪魔にならない場所に位置するため、メンテナンス空間が狭い場合でも作業性を良くできるという作用を有するので、少ない空間でもメンテナンスの作業性が良くできるという効果を奏する。
【００２２】
以下、本発明の実施の形態について、図面を参照しながら説明する。
【００２３】
（実施の形態１）
図１、図２、図３および図４に示すように、本実施の形態の屋外用消音ボックス付送風機は、機体吸込口１と機体吹出口２を箱状の機体３の対向する側面に設けている。機体３には、機体吸込口１に吸込側ダクト４を接続する吸込アダプター５、および機体吹出口２には、吹出側ダクト６を接続する吹出アダプター７を配している。機体３の内部には、機体吸込口１から機体吹出口２に至る風路８を有し、その風路８に遠心送風機９を備えている。遠心送風機９は機体吹出口２に対向した吐出口１０と渦巻状のスクロール１１とケーシング吸込口１２を設けたケーシング側板１３を側面に備えている。羽根車１４は、ケーシング吸込口１２近傍に固定したモーター１５により駆動し、吸込側ダクト４および吹出側ダクト６を介して送風する構成である。点検用開口部１６は、機体３の天面に備え、その点検用開口部１６よりも大きい天面カバー１７で覆われている。遠心送風機９のケーシング吸込口１２は、機体３の天面、すなわち、点検用開口部１６に正対している。
【００２４】
天面カバー１７の天面は、機体３の天面に対し傾斜して配置している。この天面カバー１７の天面カバー固定用ねじ１８の取り外し方向１９は、天面方向に向けている。
【００２５】
また、機体３の幅寸法Ｗ１よりも天面カバー１７の幅寸法Ｗ２を大きくして、天面カバー１７の底面の通風用開口２７を機体３の両側面に設けた構成としている。そして、機体３側面に衝突する外風２８が、機体３に沿って通風用開口２７に導かれて天面カバー１７内に通風し、カバー内部通過気流２９が発生している。
【００２６】
また、天面カバー１７の下面には、点検用開口部１６を閉塞する点検板２０を備えている。この点検板２０の点検板固定用ねじ２１の取り外し方向２２は、天面方向に向けている。
【００２７】
また、図３に示すように、屋外用消音ボックス付送風機の機体３は、屋上３０において機体吸込口１に吸込側ダクト４、機体吹出口２に吹出側ダクト６を接続して施工される。機体３は、吸込側に機体吸込口１、吹出側に機体吹出口２、機体３の内部に遠心送風機９を内蔵し、天面に天面カバー１７を配置している。そして、遠心送風機９を運転すると、室内３１の空気は、吸込側ダクト４から吹出側ダクト６を通って室外３２へ排気される。吹出側ダクト６の末端には、風雨の浸入を防止する吹出グリル３３が取り付けされ、また、メンテナンスの際は、屋外通路３４を通り機体３にアプローチして行われる。
【００２８】
上記構成により、点検用開口部１６を機体３の天面に備えたことにより、機体３の周囲のメンテナンス空間が少ない場合でも天面から内蔵の遠心送風機９を確認できる。また天面カバー１７を点検用開口部１６よりも大きくしたことにより、室外３２での使用時に点検用開口部１６からの機体３の内部への雨水の浸入を防ぐことができ、また、ダクト換気により本体である機体３の設置場所に規制がないようにできる。
【００２９】
また、天面カバー１７の天面を機体３の天面に対し傾斜させたことにより、天面カバー１７の傾斜に沿って雨水が流れて排水性が良くなり、天面カバー１７で水が溜まりにくくなるので、錆の発生を抑制することができる。
【００３０】
また、天面カバー１７の固定用ねじ１８の取り外し方向１９を天面方向に向けたことにより、機体３の周囲のメンテナンス空間が少ない場合でも天面側から天面カバー１７を着脱できる。
【００３１】
ここで、天面カバー１７の作用について説明する。天面カバー１７に太陽の日射があたると、天面カバー１７の表面温度が上昇する。しかし、外気の気流（外風２８）が発生すると、機体３の側面に外風２８がぶつかって、天面カバー１７内では、カバー内部通過気流２９が発生する。カバー内部通過気流２９の発生により、天面カバー１７内部の空気が周囲空気と混ざり合い、天面カバー１７内部の温度上昇は天面カバー１７表面の温度上昇よりも低く抑えられる。
【００３２】
図４は、製品を夏場の屋外に設置し、天面カバーの各部の温度を測定した結果である。横軸は天面カバー周囲温度（外気温）とし、３５℃未満と３５℃以上４０℃未満と４０℃以上の３つに区分し、その平均値をプロットした。天面カバー周囲温度に対し、天面カバー表面温度は日射の影響で大きく上昇しているが、天面カバー内部の温度はそれよりも低い値である（天面カバー周囲温度４１．２℃時、天面カバー表面温度は６０．６℃、天面カバー内部温度は５４．９℃）。このことからも、カバー内部通過気流の効果は明らかである。試験品の条件は、機体の幅寸法は３６２ｍｍ、天面カバーの幅寸法は４７２ｍｍ、機体の色はグレー色、２０１０年８月３日から９月７日のうちの２２日間、日本の愛知県春日井市にて実施した。
【００３３】
天面カバー１７内部のメンテナンス空間には、内蔵送風機からのリード線や電源接続用端子台を配置するが、これらの部品には使用耐熱温度範囲が規定されており、天面カバー１７内部の温度を抑えることが、屋外での使用では有効となる。また、機体３の設置場所が建物の壁面近傍になった場合は、外風２８の衝突量が少なくなる傾向があるが、機体３の幅寸法Ｗ１よりも天面カバー１７の幅寸法Ｗ２を大きくして庇状になった部分を拡大することで、風を受ける効果が大きくなり、効果的にカバー内部通過気流２９を増加することができる。
【００３４】
また、点検板２０を天面カバー１７の下面に備えたことにより、強い風雨時にも機体３と天面カバー１７の隙間からの雨水が機体３の内部に浸入することを防止できる。
【００３５】
また、点検板２０の固定用ねじ２１の取り外し方向２２を天面方向に向けたことにより、機体３の周囲のメンテナンス空間が少ない場合でも天面から点検板２０を着脱できる。
【００３６】
このように本発明の実施の形態１の屋外用消音ボックス付送風機によれば、少ない空間でメンテナンスができ、また機体３の内部への雨水の浸入を防止したり、天面カバー１７内部の温度上昇を抑えて、屋外で使用することができる。
【００３７】
また、天面カバー１７を傾斜して設けたので、水が溜まりにくく、天面カバー１７の耐食性を向上することができる。
【００３８】
また、遠心送風機９が機体３で覆われていることから、従来の屋外用送風機より騒音の屋外への放出が少なくでき、屋上３０の周囲が住居の場合に送風機の運転騒音を小さくしたいという市場要望に答えることもできる。
【００３９】
なお、実施の形態１では、天面カバー１７と点検板２０を別部材での構成としたが、一体形状にしてもよく、また、天面カバー１７の水密が十分であれば、点検板２０を省略してもよい。
【００４０】
図５には、本実施の形態の屋外用消音ボックス付送風機の電源接続用端子台３５を示す。電源接続用端子台３５は、天面カバー１７の下面に備え、電源からの電源コード３６とモーター１５からのリード線３７を接続する。電源線固定部３８は電源の極３９、４０、４１での異極が互いに垂直に並ぶ配置とする構成とする。また、電源接続用端子台３５を保護する端子台カバー４２は、天面カバー１７の下面に備える。
【００４１】
上記構成により、電源接続用端子台３５を天面カバー１７の下面に備えたことにより、電源線３６とモーターからのリード線３７を直接接続した後に防水テーピング作業を施す場合と比較すると、電源接続を容易にしながら雨水の電源接続部への浸入を防止できる。
【００４２】
また、電源接続用端子台３５の電源線固定部３８は電源の極３９、４０、４１が互いに垂直に並ぶ配置としたことにより、天面カバー１７の誤設置時での万一の雨水の電源線固定部３８への付着時にも水は下方向に向かって流れ落ちるため、電源接続用端子台３５に水が溜まることがなく、電源の異極同士の短絡状態を防止できる。
【００４３】
また、端子台カバー４２を天面カバー１７の下面に備えたことにより、長期間の使用時にも機体３と天面カバー１７の隙間からの埃が電源接続用端子台３５に付着することを防止できる。
【００４４】
図６は、本実施の形態の屋外用消音ボックス付送風機の据え付けを示す図である。この図６に示すように、屋外用消音ボックス付送風機は、点検用開口部１６と対面となる機体３の底面に、設置施工用架台４３を備え、架台設置用ボルト４４にて固定される。また、機体３の底面には、ドレン水排水口４５を設けたドレンパン４６を備え、ドレン配管４７からドレン水を排水するものとする。
【００４５】
上記構成により、点検用開口部１６と対面となる機体３の底面に設置施工用架台４３を備えたことにより、設置施工用架台４３や架台設置用ボルト４４が機体３の天面のメンテナンス空間から離れた邪魔にならない場所に位置するため、メンテナンス空間が狭い場合でも作業性を良くできる。
【００４６】
また、点検用開口部１６と対面となる機体３の底面にドレン水排水口４５を備えたことにより、ドレン水排水口４５に接続したドレン配管４７が機体３の天面のメンテナンス空間から離れた邪魔にならない場所に位置するため、メンテナンス空間が狭い場合でも作業性を良くできる。
【００４７】
このように本発明の実施の形態３の屋外用消音ボックス付送風機によれば、少ない空間でもメンテナンスの作業性が良くできる。
【産業上の利用可能性】
【００４８】
換気送風機器などの空気搬送目的以外に、排気構造を用いて設備機器の冷却ができ、コンパクトに設置できる設備機器の送風等の用途にも適用できる。
【符号の説明】
【００４９】
１    機体吸込口
２    機体吹出口
３    機体
４    吸込側ダクト
６    吹出側ダクト
９    遠心送風機
１０  吐出口
１１  スクロール
１２  ケーシング吸込口
１３  ケーシング側板
１４  羽根車
１５  モーター
１６  点検用開口部
１７  天面カバー
１９  取り外し方向
２０  点検板
２１  点検板固定用ねじ
２２  取り外し方向
２７  通風用開口
３５  電源接続用端子台
３８  電源線固定部
３９  極
４０  極
４１  極
４２  端子台カバー
４３  設置施工用架台
４５  ドレン水排水口
４６  ドレンパン
【図１】
2011149688.tif 000003
【図２】
2011149688.tif 000004
【図３】
2011149688.tif 000005
【図４】
2011149688.tif 000006
【図５】
2011149688.tif 000007
【図６】
2011149688.tif 000008
【図７】
2011149688.tif 000009